(57)【要約】【課題】ジャム紙除去、清掃などのメンテナンスの容易化を図ったプリンタ装置を提供する。【解決手段】ロール紙Ｒがジャムしたときは、トップユニット３先端側の操作レバー４を操作して、トップユニット３を開いて用紙印字部９および用紙切断部１０を露出させ、固定ねじ２０をドライバ等で外して、用紙切断部１０を収容するフレーム１８を、フレーム１８下部側の支軸Ｂを中心として、フレーム１８上部側を外方に展開するように操作する。  フレーム１８上部側の可動刃１９が、プラテンローラ１４、ペーパガイド１６から引き離され、操作者は、手を差し入れて、ジャムしたロール紙Ｒを容易に取り除くことができる。【選択図】図８
2009107287.tif 000002
【特許請求の範囲】
【請求項１】
本体フレームに、ロール紙収容搬送部と、用紙印字部と用紙印字部に隣接するように用紙切断部を収容する、ロール紙を使用するプリンタ装置において、
前記用紙切断部は、前記本体フレームに対し、前記用紙印字部との上部側間隔を拡大可能に装着してなることを特徴とするプリンタ装置。
【請求項２】
本体フレームに、ロール紙収容搬送部と、用紙印字部と用紙印字部に隣接するように用紙切断部を収容する、ロール紙を使用するプリンタ装置において、
前記用紙切断部は、前記本体フレームに対し着脱可能に配設したことを特徴とするプリンタ装置。
【請求項３】
前記用紙切断部は、直線状刃を有する固定刃と、可動刃と、可動刃を保持する支持部材と、支持部材を昇降駆動するカムレバーと、前記本体フレーム外側部に配置して前記カムレバーに駆動力を与える電動減速駆動機構とを備え、この電動減速駆動機構における電動機の出力軸に、手動により回転力を与える操作ノブを設けることを特徴とする請求項１または２に記載のプリンタ装置。
【請求項４】
前記電動減速駆動機構における電動機の出力軸先端に、操作ドライバ用ドライブ溝を設けることを特徴とする請求項３に記載のプリンタ装置。
【発明の詳細な説明】
【技術分野】
【０００１】
本発明は、ロール紙を使用するプリンタ装置における用紙切断部において、本体と分離可能に構成すると共に、用紙切断部を手動可能として、ジャム紙除去、清掃などのメンテナンスの容易化を図ったプリンタ装置に関するものである。
【背景技術】
【０００２】
例えばＰＯＳ用のプリンタ装置においては、ロール紙を使用してレシート、またはジャーナル用紙を発行するが、一般にこのようなプリンタ装置では、ロール紙に印字する用紙印字部と、印字された用紙をロール紙から切断する用紙切断部とを備えている。
【０００３】
また、上述のようなプリンタ装置は、用紙切断部を初めとして、ロール紙収容搬送部と、用紙印字部と、全て構成体が、装置本体フレームに一体的に収容した構成となっている。従って、本体フレームは、装置が大型化しないように、レイアウト設計がなされている（例えば特許文献１）。
そのために、本体フレームにおいて、例えば用紙印字部と用紙切断部とは、所定の印刷マージンを確保するために、定まった間隔に固定され、また、用紙印字部と用紙切断部との間には、ペーパガイドが配設されている。
【０００４】
【特許文献１】特開２０００−２８９２７２号公報
【０００５】
また、用紙切断部として、特許文献２のように、本体ケース内に可動刃と固定刃と駆動手段とを収容する構成のものがある。そして、この用紙切断部において、用紙切断途中で用紙を挟みこんでロック状態となった際には、本体ケース外側から、本体ケースに設けた貫通孔からドライバを挿入して、本体ケース内の駆動手段を構成するウォームギヤを逆に動かし、可動刃を動かして挟み込まれた用紙を取り除くことで、可動刃のロック状態を解除するとしている。
【０００６】
【特許文献２】特公平７−７７７１１号公報
【発明の開示】
【発明が解決しようとする課題】
【０００７】
しかしながら、特許文献１では、次のような課題がある。
（１）  用紙切断部と、用紙印字部におけるプラテンローラ間は近接して固定して配置され、しかもこれら用紙切断部とプラテンローラ間は、ペーパガイドで囲まれた構造を有しているところから、ロール紙のジャムが生じた場合、ジャムしたロール紙の除去は困難である。しかも、用紙切断部自体は取外すことができないことから、清掃などのメンテナンス作業が困難である。
一方、特許文献２では、
（２）  可動刃及び固定刃だけでなく、駆動手段も本体ケース内に収容されているところから、用紙を挟みこんだときには、本体ケースの貫通孔からドライバを中に差し込んで、駆動手段のウォームギヤを回すとしているが、挟み込んだ用紙を除去する際に、本体ケースが邪魔になる虞があり、ドライバがないときは、上記の作業は不可能である。
また、本体ケース内に用紙の一部が千切れて残留する虞がある。そのような場合に、内部の清掃などのメインテナンスは困難である。
本発明は、以上のような不都合を除去するために提案されたものであって、ロール紙を使用するプリンタ装置における用紙切断部において、本体と分離可能に構成すると共に、用紙切断部を手動可能として、ジャム紙除去、清掃などのメンテナンスの容易化を図ったプリンタ装置を提供することを目的とする。
【課題を解決するための手段】
【０００８】
上記の課題を解決するために、請求項１に記載の発明では、本体ユニットに、ロール紙収容搬送部と、用紙印字部と用紙印字部に隣接するように用紙切断部を収容する、ロール紙を使用するプリンタ装置において、用紙切断部は、本体ユニットに対し、用紙印字部との上部側間隔を拡大可能に装着してなることを特徴とする。
【０００９】
これにより、ロール紙のジャムが生じた場合、用紙切断部を用紙印字部との上部側間隔を拡大するように動かすことで、ジャムしたロール紙を除去しやすくなる。
【００１０】
請求項２に記載の発明では、本体ユニットに、ロール紙収容搬送部と、用紙印字部と用紙印字部に隣接するように用紙切断部を収容する、ロール紙を使用するプリンタ装置において、用紙切断部は、本体ユニットに対し着脱可能に配設したことを特徴とする。
【００１１】
これにより、ロール紙のジャムが生じた場合、用紙切断部を本体フレーム側から取外すことで、用紙印字部におけるプラテンローラ周囲が開放され、容易にジャムしたロール紙を除去することができ、用紙切断部や、プラテンローラ周囲の清掃が容易となる。
【００１２】
請求項３に記載の発明では、用紙切断部は、直線状刃を有する固定刃と、可動刃と、可動刃を保持する支持部材と、支持部材を昇降駆動するカムレバーと、本体フレーム外側部に配置してカムレバーに駆動力を与える電動減速駆動機構とを備え、この電動減速駆動機構における電動機の出力軸に、手動により回転力を与える操作ノブを設けることを特徴とする。
【００１３】
これにより、ロール紙のジャムが生じた場合、電動減速駆動機構における電動機の出力軸を、操作ノブを操作して回転させ、容易にジャムしたロール紙を除去することができる。
【００１４】
請求項４に記載の発明では、電動減速駆動機構における電動機の出力軸先端に、操作ドライバ用ドライブ溝を設けることを特徴とする。
【００１５】
これにより、ロール紙のジャムが生じた場合、電動減速駆動機構における電動機の出力軸を、ドライブ溝に操作ドライバを差し込んで、操作ドライバを操作して回転させ、容易にジャムしたロール紙を除去することができる。
【発明を実施するための最良の形態】
【００１６】
以下、本発明にかかるプリンタ装置について、一つの実施形態を挙げ、説明する。
図１にＰＯＳ用プリンタ装置１の一例を示す。
このプリンタ装置１は、ロール紙を使用してレシート、またはジャーナル用紙を発行するもので、内部にロール紙収容搬送部、用紙印字部および用紙切断部（後述）を配設した本体ユニット２と、これらロール紙収容搬送部、用紙印字部および用紙切断部を、露出／遮蔽可能に設けたトップユニット３とを備えると共に、このトップユニット３を開閉操作するための操作レバー４を具備する。また、トップユニット３には、各種操作指令を行う操作ボタンＳｗが配置されている。
【００１７】
また、プリンタ装置１は、図２、図３に示すように外装ケース５で囲った本体ユニット２には、本体フレーム６を収容し、トップユニット３にはトップフレーム７を収容した構成としている。
本体フレーム６は、設計に基づいて薄板金に周知の塑性加工を施して形成しており、底部側に制御ボードＰｂを配設している（図４参照）。そして、本体フレーム６内には、ロール紙収容搬送部８、用紙印字部９、トップフレーム７の先端側に配設した操作レバー４の下方位置に用紙切断部１０を配置している。
【００１８】
ロール紙収容搬送部８には、トップフレーム７と本体フレーム６とで所定の幅、巻径のロール紙Ｒを収容可能な収容空間が確保され、この収容空間から引き出されるロール紙Ｒを、用紙印字部９にもたらすための用紙ガイド部１１を設けている。用紙ガイド部１１は、トップフレーム７側に設けたアッパーガイドユニット１２と所定の隙間を持って対峙する本体フレーム６側の搬送パネル１３とで構成している。
【００１９】
用紙印字部９は、本体フレーム６側に設けたプラテンローラ１４と、トップフレーム７におけるアッパーガイドユニット１２側に設けた印字ヘッド１５とを備えている。またプラテンローラ１４と、隣接配置する用紙切断部１０との間にはペーパガイド１６を配設している。
【００２０】
そこで、用紙切断部１０について、以下、詳細に説明する。
用紙切断部１０は、用紙印字部９前方に隣接して、本体フレーム６に着脱可能に配設したユニット構造を有している。
すなわち、用紙切断部１０は、ギロチン方式の用紙カット機構であり、トップフレーム７のアッパーガイドユニット１２先端に固定した、直線状の刃をもつ固定刃１７と、フレーム１８に一体的に収容された、一対の部材を互いに合わせることで鈍角のＶ字状の刃形状となるようにした、可動刃１９とを有する（図５参照）。
フレーム１８は、本体フレーム６とは別個に、本体フレーム６における用紙印字部９の配置箇所に隣接して、前方側に向けて下部側の支軸Ｂを中心として、上部側を開閉可能に装着したもので、上部側の両側部を、本体フレーム６側に、固定ねじ２０によって、固定している。なお、フレーム１８には、可動刃１９が支持部材２１を介して収容されている。
【００２１】
また、用紙切断部１０は、図６に示すように、可動刃１９を支持する支持部材２１と、可動刃１９が固定刃１７に向かって動くように支持部材２１を駆動するカムレバー２２と、可動刃１９を支持部材２１とともに初期位置へ戻すように付勢する戻しばね２３を有している。なお、カムレバー２２には、回動中心軸部２２ｘに突設した上げレバー２２ａと下げレバー２２ｂがあって、電動減速駆動機構２４により、回転駆動力を与えることで、回動中心軸部２２ｘが揺動して、可動刃１９を支持部材２１を介して昇降させる構成である。
なお、回動中心軸部２２ｘには、出力レバー２５が突設され、カムレバー２２が変位して、支持部材２１及び可動刃１９が固定刃１７に向かって動かされることで、出力レバー２５が変位して、フォトセンサ（フォトインタラプタ）の検出位置にもたらされることで、可動刃１９の位置検出を行うようにしている。
【００２２】
次に、電動減速駆動機構２４について説明する。
電動減速駆動機構２４は、図７に示すように、本体フレーム６外側部に配置してカムレバー２２の回動中心軸部２２ｘに対し、駆動力を与えるもので、駆動モータ２６とこの駆動モータ２６の出力軸２７に装着したウォームギヤ２８とウォームギヤ２８と噛み合うアイドルギヤ２９と、アイドルギヤ２９の所定箇所に突設した伝達ピンＰに、長穴ｈを介して機構的に連結させた伝達腕３０とで構成している。
そして、駆動モータ２６の出力軸２７には、基部側に、手動により回転力を与える操作ノブ３１を設ける一方、先端側に操作ドライバを係合する係合溝３２を設けるようにしている。
【００２３】
本発明にかかるプリンタ装置１は以上のように構成されるものであり、次にその作用を説明する。
ホスト側から印字指令がなされると、本体フレーム６内のロール紙収容搬送部８からロール紙Ｒが引き出され、用紙印字部９におけるプラテンローラ１４が駆動機構（図示省略）によって駆動される。
ロール紙Ｒは用紙ガイド部１１に沿ってプラテンローラ１４と印字ヘッド１５との間に搬送され、印字ヘッド１５によって印字される。
【００２４】
プラテンローラ１４と印字ヘッド１５との間を通ったロール紙Ｒは固定刃１７と可動刃１９との間に挿入され、可動刃１９を固定刃１７に向かって移動させることにより、ロール紙Ｒを切断することができる。
すなわち、用紙切断部１０において、ホスト側からの用紙カット指令により、駆動モータ２６を一方向に回転させることにより、動力は、出力軸２７、ウォームギヤ２８を通じアイドルギヤ２９に伝達され、さらに、アイドルギヤ２９における伝達ピンＰから、長穴ｈを介して伝達腕３０に伝達され、回動中心軸部２２ｘの回転によりカムレバー２２が変位し、上げレバー２２ａが支持部材２１及び可動刃１９を押し上げ、固定刃１７に向かって上昇する。
さらに、駆動モータ２６を同方向に回転させていくと、支持部材２１及び可動刃１９は戻しばね２３と共に、下げレバー２２ｂによって初期位置へ戻される。
以上のようにして、印字後のロール紙Ｒは、所定の長さに切断され、レシートとして排出することができる。
【００２５】
ところで、ロール紙Ｒを本体フレーム６内のロール紙収容搬送部８から用紙ガイド部１１に沿って用紙印字部９のプラテンローラ１４と印字ヘッド１５との間に搬送され、印字ヘッド１５によって印字される際、ロール紙Ｒがプラテンローラ１４に絡みついてジャムすることがある。
しかしながら、プラテンローラ１４周りは、用紙切断部１０に近接してペーパガイド１６が隙間なく配置されているので、そのままでは、ジャム紙をプラテンローラ１４から取り除くのは困難である。
【００２６】
このようなときは、トップユニット３先端側の操作レバー４を操作して、トップユニット３を開いて用紙印字部９および用紙切断部１０を露出させ（図３参照）、固定ねじ２０をドライバ等で外して、用紙切断部１０を収容するフレーム１８を、フレーム１８下部側の支軸Ｂを中心として、フレーム１８上部側を外方に展開するように操作する（図８参照）。
すると、フレーム１８上部側の可動刃１９が、用紙切断部１０のプラテンローラ１４、ペーパガイド１６から引き離されるので、プラテンローラ１４周りが開放される。これによって、操作者は、手を差し入れて、プラテンローラ１４に絡みついたロール紙Ｒを容易に取り除くことができる。また、可動刃１９に絡みついたロール紙Ｒも容易に取り除くことができる。
【００２７】
また、図示は省略するが、用紙切断部１０を収容するフレーム１８を、固定ねじ２０をさらに弛めて、本体フレーム６から完全に取外すと、フレーム１８内の可動刃１９および支持部材２１の清掃が容易となる。
【００２８】
また本発明にかかるプリンタ装置１では、次のようにしてジャム紙を取り除くこともできる。
すなわち、可動刃１９に用紙Ｒを咬みこんでジャムが発生した場合、可動刃１９を動かすことができなくなったような場合は、電源を一旦切り、外装ケース５における本体ユニット２を開けて本体フレーム６を露出させる（図２参照）。
これにより、電動減速駆動機構２４が露出するので、駆動モータ２６の出力軸２７の基部側の操作ノブ３１を操作することで、手動的に可動刃１９を動かして、可動刃１９に絡みついたロール紙Ｒを簡単に取り除くことができる（図９参照）。
また、駆動モータ２６の出力軸２７の先端側の係合溝３２に操作ドライバを係合して、手動的に操作しても、可動刃１９を動かして、可動刃１９に絡みついたロール紙Ｒを簡単に取り除くことができる。
【００２９】
以上、本発明によれば、用紙切断部を、ロール紙収容搬送部からロール紙を引き出す前方箇所に、上部側を展開するように開くことで、用紙印字部と用紙切断部との間にスペースが形成され、紙ジャムが生じた場合、簡単に取り除くことができ、また、清掃などメインテナンスも容易となる。
また、用紙切断部の電動減速駆動機構を、駆動モータの出力軸の基部側の操作ノブを手で操作することで、可動刃を動かして、可動刃に絡みついたロール紙を簡単に取り除くことができる。
さらには、駆動モータの出力軸先端側の係合溝に操作ドライバを係合して、手動的に操作しても、可動刃を動かして、可動刃に絡みついたロール紙を簡単に取り除くことができる。
【図面の簡単な説明】
【００３０】
【図１】本発明にかかるプリンタ装置の一例を示す、外観斜視図である。
【図２】図１に示すプリンタ装置から外装ケース内の構造を示した、外観斜視図である。
【図３】図１に示すプリンタ装置において、トップユニットを開いた状態を示す、要部斜視説明図である。
【図４】図１に示すプリンタ装置における断面説明図である。
【図５】用紙切断部のうち、可動刃と可動刃を支える支持手段と可動刃を駆動する電動減速駆動機構の正面図である。
【図６】図５に示す可動刃と可動刃を支える支持手段と可動刃を駆動する電動減速駆動機構の斜視説明図である。
【図７】図５に示す可動刃と可動刃を支える支持手段と可動刃を駆動する電動減速駆動機構の、別方向からの斜視説明図である。
【図８】ジャム紙除去のために、用紙切断部の上部側を展開した状態を示す説明図である。
【図９】ジャム紙除去のために、電動減速駆動機構を手動的に操作する際の説明図である。
【符号の説明】
【００３１】
１    プリンタ装置
２    本体ユニット
３    トップユニット
４    操作レバー
５    外装ケース
６    本体フレーム
７    トップフレーム
８    ロール紙収容搬送部
９    用紙印字部
１０    用紙切断部
１１    用紙ガイド部
１２    アッパーガイドユニット
１３    搬送パネル
１４    プラテンローラ
１５    印字ヘッド
１６    ペーパガイド
１７    固定刃
１８    フレーム
１９    可動刃
２０    固定ねじ
２１    支持部材
２２    カムレバー
２２ｘ    回動中心軸部
２２ａ    上げレバー
２２ｂ    下げレバー
２３    戻しばね
２４    電動減速駆動機構
２５    出力レバー
２６    駆動モータ
２７    出力軸
２８    ウォームギヤ
２９    アイドルギヤ
３０    伝達腕
３１    操作ノブ
３２    係合溝
Ｓｗ    操作ボタン
Ｐｂ    制御ボード
Ｒ    ロール紙
Ｂ    支軸
Ｐ    伝達ピン
ｈ    長穴
【図１】
2009107287.tif 000003
【図２】
2009107287.tif 000004
【図３】
2009107287.tif 000005
【図４】
2009107287.tif 000006
【図５】
2009107287.tif 000007
【図６】
2009107287.tif 000008
【図７】
2009107287.tif 000009
【図８】
2009107287.tif 000010
【図９】
2009107287.tif 000011